(57)【要約】    【課題】  鋳枠から鋳型を抜き出す時の出力を低減することができると共に鋳枠内面の清掃性を向上させることができる注湯済枠付砂鋳型の解枠装置を提供する。    【解決手段】  型合せされて注湯された上下枠付上下鋳型から製品及び上下鋳型を上方から下方に向かって抜き出す注湯済枠付砂鋳型の解枠装置であって、前記上下枠付上下鋳型の上方に配設されたパンチヘッドと、該パンチヘッドを昇降させるパンチヘッド昇降手段と、を具備し、前記パンチヘッドの下端中央に押し出し部材を取り付けた。【選択図】    図１
2006315036.tif 000002
【特許請求の範囲】
【請求項１】
型合せされて注湯された上下枠付上下鋳型から製品及び上下鋳型を上方から下方に向かって抜き出す注湯済枠付砂鋳型の解枠装置であって、前記上下枠付上下鋳型の上方に配設されたパンチヘッドと、該パンチヘッドを昇降させるパンチヘッド昇降手段と、を具備し、前記パンチヘッドの下端中央に押し出し部材を取り付けたことを特徴とする注湯済枠付砂鋳型の解枠装置。
【請求項２】
型合せされて注湯された上下枠付上下鋳型から製品及び上下鋳型を上方から下方に向かって抜き出す注湯済枠付砂鋳型の解枠装置であって、前記上下枠付上下鋳型の上方に配設されたパンチヘッドと、該パンチヘッドを昇降させるパンチヘッド昇降手段と、を具備し、前記パンチヘッドの下端周縁に複数のガイド部材を間隔をおいて取り付けたことを特徴とする注湯済枠付砂鋳型の解枠装置。
【請求項３】
型合せされて注湯された上下枠付上下鋳型から製品及び上下鋳型を上方から下方に向かって抜き出す注湯済枠付砂鋳型の解枠装置であって、前記上下枠付上下鋳型の上方に配設されたパンチヘッドと、該パンチヘッドを昇降させるパンチヘッド昇降手段と、を具備し、前記パンチヘッドの下端中央に押し出し部材を取り付け、且つ、前記パンチヘッドの下端周縁に複数のガイド部材を間隔をおいて取り付けたことを特徴とする注湯済枠付砂鋳型の解枠装置。
【発明の詳細な説明】
【技術分野】
【０００１】
本発明は、注湯済枠付砂鋳型の解枠装置に関する。
【背景技術】
【０００２】
従来、枠付生砂鋳型において、注湯済の鋳型を鋳枠から抜き出す装置は公知にされている（例えば、特許文献１参照）。
【０００３】
【特許文献１】実開昭５９−１４６０（第１頁、第１図）
【発明の開示】
【発明が解決しようとする課題】
【０００４】
最近の生砂鋳型で生産される鋳物の傾向として、鋳物素材については薄肉化、高精度化が求められ、そのため、鋳型については高強度が求められ、高強度鋳型を造型するべく、造型機が進歩してきている。このような高強度鋳型を鋳枠から抜き出す場合、高出力の鋳型抜き出し装置が必要になってしまうという問題がある。また鋳枠内面の清掃性の向上を図る必要がある。
【０００５】
本発明は、上記の問題に鑑みて成されたもので、鋳枠から鋳型を抜き出す時の出力を低減することができると共に鋳枠内面の清掃性を向上させることができる注湯済枠付砂鋳型の解枠装置を提供することを目的とする。
【課題を解決するための手段】
【０００６】
上記の目的を達成するために本発明における注湯済枠付砂鋳型の解枠装置は、型合せされて注湯された上下枠付上下鋳型から製品及び上下鋳型を上方から下方に向かって抜き出す注湯済枠付砂鋳型の解枠装置であって、前記上下枠付上下鋳型の上方に配設されたパンチヘッドと、該パンチヘッドを昇降させるパンチヘッド昇降手段と、を具備し、前記パンチヘッドの下端中央に押し出し部材を取り付けたことを特徴とする。
【０００７】
また本発明における注湯済枠付砂鋳型の解枠装置は、型合せされて注湯された上下枠付上下鋳型から製品及び上下鋳型を上方から下方に向かって抜き出す注湯済枠付砂鋳型の解枠装置であって、前記上下枠付上下鋳型の上方に配設されたパンチヘッドと、該パンチヘッドを昇降させるパンチヘッド昇降手段と、を具備し、前記パンチヘッドの下端周縁に複数のガイド部材を間隔をおいて取り付けたことを特徴とする。
【０００８】
さらに本発明における注湯済枠付砂鋳型の解枠装置は、型合せされて注湯された上下枠付上下鋳型から製品及び上下鋳型を上方から下方に向かって抜き出す注湯済枠付砂鋳型の解枠装置であって、前記上下枠付上下鋳型の上方に配設されたパンチヘッドと、該パンチヘッドを昇降させるパンチヘッド昇降手段と、を具備し、前記パンチヘッドの下端中央に押し出し部材を取り付け、且つ、前記パンチヘッドの下端周縁に複数のガイド部材を間隔をおいて取り付けたことを特徴とする。
【発明の効果】
【０００９】
本発明は、型合せされて注湯された上下枠付上下鋳型から製品及び上下鋳型を上方から下方に向かって抜き出す注湯済枠付砂鋳型の解枠装置であって、前記上下枠付上下鋳型の上方に配設されたパンチヘッドと、該パンチヘッドを昇降させるパンチヘッド昇降手段と、を具備し、前記パンチヘッドの下端中央に押し出し部材を取り付けたから、また、前記パンチヘッドの下端周縁に複数のガイド部材を間隔をおいて取り付けたから、鋳枠から鋳型を抜き出す時の出力を低減することができると共に鋳枠内面の清掃性を向上させることができる等種々の効果がある。
【発明を実施するための最良の形態】
【００１０】
以下、本発明の実施の形態を図面に基づいて詳しく説明する。なお後述する上鋳型Ｕａ及び下鋳型Ｓａは、本発明の実施の形態では生砂鋳型である。図１において、鋳型抜き出しステーションＮには搬送手段としてのローラコンベヤ１（図２参照）により、型合せされて注湯された上下枠付上下鋳型Ｍが搬入されるようになっている。そして、該上下枠付上下鋳型Ｍの上方にはパンチヘッド２が配設されており、該パンチヘッド２の上位周縁には上枠Ｕｂ及び下枠Ｓｂの内面を清掃する複数のスクレーパ３、３が各々、左右に間隔をおいた一対のゴムバネ８、８を介して取り付けられている。
【００１１】
そして、該パンチヘッド２の上方には該パンチヘッド２を昇降させるパンチヘッド昇降手段としてのパンチヘッド昇降シリンダ４が配設されており、該パンチヘッド昇降シリンダ４はフレーム５に下向きに装着されている。なお該パンチヘッド昇降シリンダ４の先端は前記パンチヘッド２に連結されている。そして、該パンチヘッド昇降シリンダ４の両外側にはガイドロッド６、６が配設されており、該ガイドロッド６、６は前記フレーム５に装着されたホルダ７、７内を上下摺動可能に貫通されている。なお該ガイドロッド６、６の先端は前記パンチヘッド２に連結されている。
【００１２】
また前記パンチヘッド２の下端中央には押し出し部材９が取り付けられており、前記パンチヘッド２の下端周縁には全周に亘り、複数のガイド部材１０、１０が間隔をおいて取り付けられている。なお該ガイド部材１０、１０の外側面先端は、内側に向かって傾斜した形状にされている。
【００１３】
このように構成されたものの作動について説明する。型合せされて注湯された上下枠付上下鋳型Ｍは、搬送手段としてのローラコンベヤ１（図２参照）により鋳型抜き出しステーションＮに搬入される（図１参照）。次に、パンチヘッド昇降シリンダ４を伸長作動させることにより、パンチヘッド２、押し出し部材９及びガイド部材１０、１０を下降させ、前記上下枠付上下鋳型Ｍから製品Ｗ、上鋳型Ｕａ及び下鋳型Ｓａを上方から下方に向かって抜き出す（図３参照）。なお抜き出された製品Ｗ及び上下鋳型Ｕａ、Ｓａは図示されない鋳型受け手段（例えば、振動コンベヤ）で受けられる。
【００１４】
次に、パンチヘッド昇降シリンダ４を縮引作動させることにより、パンチヘッド２、押し出し部材９及びガイド部材１０、１０を上昇させる。その後、ローラコンベヤ１により、空になった上下枠Ｕｂ、Ｓｂが鋳型抜き出しステーションＮから搬出される。なお上述のパンチヘッド２の昇降に伴い、スクレーパ３、３により上下枠Ｕｂ、Ｓｂの内面が清掃される。また前記抜き出された製品Ｗ及び上下鋳型Ｕａ、Ｓａは前記鋳型受け手段により図示されない次工程に送られる。
【００１５】
なお本発明では、前記パンチヘッド２の下端中央に押し出し部材９を取り付けている。これにより、該押し出し部材９で上下鋳型Ｕａ、Ｓａを崩壊しながら該上下鋳型Ｕａ、Ｓａを抜き出すから、該抜き出すためのアクチュエータ、即ち、パンチヘッド昇降シリンダ４の該抜き出し時の出力を低減することができる。このため、装置、アクチュエータ等のコンパクト化、省力化が図れる。なお、例えば、押し出し部材９の底面面積がパンチヘッド２の底面面積の約１／３であるならば、該抜き出し時の出力を約１／３に低減することができる。
【００１６】
また通常、上下枠Ｕｂ、Ｓｂ内面とパンチヘッド２下端側面との隙間が大きい場合、高強度な上下鋳型Ｕａ、Ｓａの清掃抵抗に負けて前記ゴムバネ８、８を破損する恐れがある。そして、このゴムバネ８、８の破損を防止するために該上下枠Ｕｂ、Ｓｂ内面とパンチヘッド２下端側面との隙間を小さくすると、前記抜き出しの際にパンチヘッド２と上枠Ｕｂがぶつかる恐れがある。しかし、本発明では、前記パンチヘッド２の下端周縁に複数のガイド部材１０、１０を間隔をおいて取り付けている。これにより、パンチヘッド２はガイド部材１０、１０で案内され、位置が矯正されて下降するから、該上下枠Ｕｂ、Ｓｂ内面とパンチヘッド２下端側面との隙間を小さくしてもパンチヘッド２と上枠Ｕｂがぶつかることがない。このため、該上下枠Ｕｂ、Ｓｂ内面とパンチヘッド２下端側面との隙間を最小にすることができるから、上下枠Ｕｂ、Ｓｂ内面の砂付着を低減でき、該上下枠Ｕｂ、Ｓｂ内面の清掃性を向上させることができる。また、これに伴って作業環境の向上が図れる。
【図面の簡単な説明】
【００１７】
【図１】本発明の実施形態を示す正面図である。
【図２】図１におけるＡ−Ａ矢視図である。
【図３】上下枠付上下鋳型から製品、上鋳型及び下鋳型を上方から下方に向かって抜き出した状態を示す正面図である。
【符号の説明】
【００１８】
２  パンチヘッド
４  パンチヘッド昇降手段
９  押し出し部材
１０  ガイド部材
Ｍ  上下枠付上下鋳型
Ｕｂ  上枠
Ｓｂ  下枠
Ｕａ  上鋳型
Ｓａ  下鋳型
Ｗ  製品
【図１】
2006315036.tif 000003
【図２】
2006315036.tif 000004
【図３】
2006315036.tif 000005